(57)【要約】  含まれるのは、情報法令遵守リスクアセスメントのための実施形態である。いくつかの実施形態は、ユーザーが実行を希望するプロジェクトの特性を決定するためのユーザーに対する複数の質問の提供、特性から、プロジェクトと関連する法令遵守エリアの決定、及びプロジェクトの完了を支援するための法令遵守エリアに関連する法令遵守責任者の決定を含む。いくつかの実施形態は、プロジェクトを完了するための法令遵守エリア内でのポリシーの決定、ユーザーからのポリシーと共に法令遵守の指示の受領、並びにポリシーを固守して法令遵守エリアを完成したことを示すために法令遵守の指示及びオプションへのアクセスが可能な法令遵守責任者の提供を含む。更にいくつかの実施形態は、法令遵守責任者からのポリシーを固守して法令遵守エリアを完成したコンフォメーションの受領、及び表示用のユーザーへの指示の提供を含む。
2015521500.tif 000002
【特許請求の範囲】
【請求項１】
使い捨て吸収性物品を製造する方法であって、
（１）第１不織布層及び第１の予歪みを付与された弾性要素を含む第１ベルトウェブを機械方向に沿って運搬する工程と、
（２）第２不織布層及び第２の予歪みを付与された弾性要素を含む第２ベルトウェブを機械方向に沿って運搬する工程と、
（３）第１締結タブ部材及び第１締結要素を含む締結ウェブを前記機械方向に沿って運搬する工程と、
（４）前記締結ウェブを前記ベルトウェブの１つ又は両方に直接的に又は再締結可能に接合する工程と、
（５）前記第１ベルトウェブ及び前記第２ベルトウェブを、コアを含むシャーシに接合する工程と、
（６）前記第１ベルトウェブが前記第２ベルトウェブに概ね重なり合うように、前記物品を長手方向軸上に折り畳む工程と、
（７）ａ）前記第１締結タブ部材と、前記第１ベルトウェブ及び前記第２ベルトウェブの少なくとも１つと、ｂ）前記第１締結タブ部材と、前記第１ベルトウェブ及び前記第２ベルトウェブの両方と、ｃ）前記第１締結タブ部材と前記第２締結タブ部材と、の少なくとも１つの間に永久サイドシームを形成する工程と、
（８）前記第１締結タブ部材を前記第１ベルトウェブ及び前記第２ベルトウェブの少なくとも１つに再締結可能に締結する工程と、
（９）複数の吸収性物品を形成するために前記永久サイドシームを切断する工程と、を含む方法。
【請求項２】
永久的に側面を継ぎ合わせる前に、前記第１締結タブ部材が、前記第１ベルトウェブ及び前記第２ベルトウェブの少なくとも１つに直接的に又は再締結可能に接合される、請求項１に記載の方法。
【請求項３】
前記締結ウェブが、前記第１ベルトウェブと前記第２ベルトウェブとの間に配置される、請求項１に記載の方法。
【請求項４】
前記締結ウェブが、前記第１ベルトウェブ及び前記第２ベルトウェブの少なくとも１つの外面上に配置される、請求項１に記載の方法。
【請求項５】
前記第１締結要素が、複数のフックである、請求項１に記載の方法。
【請求項６】
前記第１締結タブ部材が前記第１ベルトウェブに接合され、前記第１締結要素が前記第２ベルトウェブに接合され、前記第１締結要素が前記第１締結タブ部材に再締結可能に接合される、請求項１に記載の方法。
【請求項７】
前記第１締結タブ部材が前記第１ベルトウェブに接合され、前記第１締結要素が前記第２ベルトウェブに接合され、前記第１締結要素が前記第１締結タブ部材に再締結可能に接合される、請求項１に記載の方法。
【請求項８】
前記第１締結タブ部材が、前記第１締結要素に再締結可能に接合される、請求項１に記載の方法。
【請求項９】
前記第１締結要素が、前記第１ベルト及び前記第２ベルトの少なくとも１つに再締結可能に接合される、請求項１に記載の方法。
【請求項１０】
前記締結タブ部材を前記第１ベルトウェブ及び前記第２ベルトウェブの１つ又は両方に直接的に又は再締結可能に接合する前に、前記永久サイドシームが、前記第１締結タブ部材と前記第２締結タブ部材との間に形成される、請求項１に記載の方法。
【発明の詳細な説明】
【背景技術】
【０００１】
現在、使い捨て吸収性パンツは、よちよち歩きの幼児及びまだトイレトレーニングされていない小児、小児遺尿症を経験している小児、並びに尿失禁に悩む成人による着用のために製造及び販売される。使い捨て吸収性パンツは、通常、液透過性の着用者に面するトップシートと液不透過性の外側又は衣類に面するバックシートとの間に包まれた吸収性材料から形成されたコアを有する中心シャーシを含む。シャーシは、通常、着用者の脚と下部胴体周囲の上方との間を包むように、前側及び後側端部が着用者の前側及び後側のウエストラインに向かってそれぞれ延在するように、着用者に位置付けられるように適合される。シャーシは、通常、その両側でシャーシの前側及び後側区域をそれぞれ結合する一対の伸長要素に接合され、それによってパンツ構造を形成する。多くの現在の設計では、伸長要素は、横方向に弾性的延伸性があるように製造され、着用を楽にする伸縮性を提供する一方で、一度着用すると比較的ぴったりしたかつ快適なフィットを提供する。
【０００２】
一構成では、弾性ベルトは、着用者の腰部を全体的に取り囲み、パンツ全体の周囲に腰部縁部を形成する。中心シャーシは、通常、その内側で、弾性ベルトの腰部縁部のいくらか下部の前側及び後側腰部区域内の場所に配置される縁部と共に弾性ベルトに接合される場合がある。この構成は、時に「ベルト」又は「バルーン」構成として知られる（以下、「ベルト」構成）。このタイプの構成の実施例は、現在アジアにおいてＴｈｅ  Ｐｒｏｃｔｅｒ  ＆  Ｇａｍｂｌｅ  Ｃｏｍｐａｎｙにより商標ＰＡＭＰＥＲＳで、またＵｎｉｃｈａｒｍ  Ｃｏｒｐｏｒａｔｉｏｎにより商標ＭＡＭＹ  ＰＯＫＯでも製造販売されている。
【０００３】
両方の構成が利点を有するものの、状況によっては、ベルト構成が望ましいと考えられる場合もある。他の利点のうち、取り囲んでいるベルトは、横方向に弾性的延伸性をなして作製され得るため、目標弾性特性と同様にかなりの弾性伸長及び収縮が着用者の腰部の周囲全体に提供され得る。
【０００４】
使いやすさの目的で、パンツがベルト様構造の開放及び再閉しやすさを可能にするための再締結可能な機構を有することが望ましい場合がある。これは、例えば機械的締結要素をベルト様構造、中心シャーシ、物品の他の要素及び／又はそれらの組み合わせの一部として吸収性物品の構造体に組み込むことによって達成され得る。再締結可能な機構は、脚部開口部及び腰部開口部を維持及び／又は確立するよう補助し得る。一部の現在製造されるベルト構造パンツは、再締結可能な機構を含むが、それらは特に高い生産速度で製造するには複雑すぎ、かつ使用するには複雑すぎると見なされることがある。また、一部は粗野又は未完成の外観を有すると見なされる場合がある。
【発明の概要】
【発明が解決しようとする課題】
【０００５】
したがって、本開示は、向上した高速での製造可能性と共に再締結可能な機構を形成する締結構成要素を含むベルト構成を有する使い捨て吸収性パンツの構造的設計及び製造方法の改善を明らかにする。
【図面の簡単な説明】
【０００６】
【図１】使い捨て吸収性パンツの簡略化した斜視図である。
【図２】内側又は着用者に面する表面上方と共に示される使い捨て吸収性パンツの前駆体構造の簡略化した平面図である。
【図３Ａ】可能な構成の一実施例における図２の線３−３を通って取った簡略化した概略断面図である。
【図３Ｂ】可能な構成の別の実施例における図２の線３−３を通って取った簡略化した概略断面図である。
【図３Ｃ】可能な構成の別の実施例における図２の線３−３を通って取った簡略化した概略断面図である。
【図４Ａ】可能な構成の様々な実施例における図２の線４−４を通って取った簡略化した概略断面図である。
【図４Ｂ】可能な構成の様々な実施例における図２の線４−４を通って取った簡略化した概略断面図である。
【図４Ｃ】可能な構成の様々な実施例における図２の線４−４を通って取った簡略化した概略断面図である。
【図４Ｄ】可能な構成の様々な実施例における図２の線４−４を通って取った簡略化した概略断面図である。
【図４Ｅ】可能な構成の様々な実施例における図２の線４−４を通って取った簡略化した概略断面図である。
【図４Ｆ】可能な構成の様々な実施例における図２の線４−４を通って取った簡略化した概略断面図である。
【図４Ｇ】可能な構成の様々な実施例における図２の線４−４を通って取った簡略化した概略断面図である。
【図４Ｈ】可能な構成の様々な実施例における図２の線４−４を通って取った簡略化した概略断面図である。
【図４Ｉ】可能な構成の様々な実施例における図２の線４−４を通って取った簡略化した概略断面図である。
【図４Ｊ】可能な構成の様々な実施例における図２の線４−４を通って取った簡略化した概略断面図である。
【図４Ｋ】可能な構成の様々な実施例における図２の線４−４を通って取った簡略化した概略断面図である。
【図５Ａ】適用された弾性部材の付随する不織布ウェブの一部分の平面図である。
【図５Ｂ】横断方向図に沿って示される、積層体を製造する装置及び構成要素の簡略化した概略図である。
【図６Ａ】切断線と共に示される多層体ウェブの一部分の平面図である。
【図６Ｂ】代替の構成における切断線と共に示される多層体ウェブの一部分の平面図である。
【図６Ｃ】中間部分を切り離した、図６Ａに示す多層体ウェブの一部分の平面図である。
【図６Ｄ】中間部分を切り離した、図６Ｂに示す多層体ウェブの一部分の平面図である。
【図６Ｅ】横断方向図に沿って示される、積層体を製造する装置及び構成要素の簡略化した概略図である。
【図７】パンツ構造体を製造する方法を示す多層体ウェブ及び適用されたシャーシ構造体の平面図である。
【図８】不織布層内の弾性部材に沿ったひだの形成と共に、２つの不織布層及び予歪みを付与された弾性部材を含む多層体ウェブの一部分の平面図である。
【図９】図８の線９−９に沿った断面図である。
【図１０Ａ】図９の断面図と同様の断面図であるが、第３層を含み、第３層が弾性多層体ウェブ構造に含まれ、取り付けられ得る、また異なるパターンのひだを付与し得る実施例を示す。
【図１０Ｂ】図９の断面図と同様の断面図であるが、第３層を含み、第３層が弾性多層体ウェブ構造に含まれ、取り付けられ得る、また異なるパターンのひだを付与し得る実施例を示す。
【図１０Ｃ】図９の断面図と同様の断面図であるが、第３層を含み、第３層が弾性多層体ウェブ構造に含まれ、取り付けられ得る、また異なるパターンのひだを付与し得る実施例を示す。
【図１１】使い捨て吸収性パンツの簡略化した斜視図である。
【図１２】締結構成要素を含む多層体ウェブの一部分の簡略化した概略断面図である。
【図１３】締結構成要素を含む多層体ウェブの一部分の簡略化した概略断面図である。
【図１４】締結構成要素を含む多層体ウェブの一部分の簡略化した概略断面図である。
【図１５】締結構成要素を含む多層体ウェブの一部分の簡略化した概略断面図である。
【図１６】締結構成要素を含む多層体ウェブの一部分の簡略化した概略断面図である。
【図１７】締結構成要素を含む多層体ウェブの一部分の簡略化した概略断面図である。
【発明を実施するための形態】
【０００７】
用語の定義
用語「締結構成要素」とは、再締結可能な取り付け領域を画定する締結要素を指す。締結構成要素は、締結構成要素が分離されるまで、腰部及び脚部開口部を閉じた構成へと再構成するために、吸収性物品を再締結することを可能にする。締結構成要素は、１つ以上の再締結可能な締結要素、例えば、フック、ループ、球状部、キノコ型、矢尻、茎部上のボール部、ボタン、スナップ、再締結可能な粘着剤、選択的に再締結可能な接着剤などを含む場合がある。締結構成要素は、締結構成要素を損傷することなく、開放し、かつその後に確実に再閉鎖することができる。締結構成要素は、再締結可能なクロージャを形成する、直接的な表面間接触により、取り付け領域を形成する、締結システムの要素を含む。明確性の目的のために、表面間接触は例えば、フック材料の表面と、ループ材料の表面との間の接触を含む。例えば、バックシートに接合されるタブ部材は、記載される締結材料には当たらない。締結構成要素は、タブに接合され、他の締結構成要素又は吸収性物品の一部と接続し得るフック又はループであってもよい。
【０００８】
用語「初期腰部開口周辺部」とは、使い捨てトレーニングパンツがパッケージ内に配置されるとき、及びその後、これが消費者によってパッケージから取り出されるときの、使い捨てトレーニングパンツの腰部開口部の周辺部を指す。
【０００９】
「横断方向」（ＣＤ）とは、不織布ウェブ材料、不織布材料自体、それらの積層体、又は材料が構成要素である物品の製造に関して、材料及び／又は物品を製造する製品製造ラインを通る材料の前進方向に実質的に垂直の、材料に沿った方向を指す。
【００１０】
本明細書で使用されるとき、用語「弾性」又は「エラストマーの」は、実質的な破裂又は破損なしで、ヒステリシス試験に従って測定されたときに、伸長の１０％以下の硬化で、ヒステリシス試験において１００％の歪みまで延びることができる伸張可能な材料（又は複数の材料の複合体）の特性を指す。弾性材料は、弾性的に延伸性であると見なされる。
【００１１】
「機械方向」（ＭＤ）とは、不織布ウェブ材料、不織布材料自体、それらの積層体、又は材料が構成要素である物品の製造に関して、材料及び／又は物品を製造する製品製造ラインを通る材料の前進方向に実質的に平行の、材料に沿った方向を指す。
【００１２】
「横方向」とは、パンツ及びその着用者に関して、着用者の身長に概ね垂直の方向又は着用者が立っているときの水平方向を指す。「横方向」はまた、前側腰部縁部の中点から後側腰部縁部の中点まで延びる線に概ね垂直の方向である。
【００１３】
「長手方向」とは、パンツ及びその着用者に関して、着用者の身長に概ね平行の方向又は着用者が立っているときの垂直方向を指す。「長手方向」はまた、前側腰部縁部の中点から後側腰部縁部の中点まで延びる線に概ね平行の方向である。
【００１４】
用語「パンツ」（「使い捨てトレーニングパンツ」、「トレーニングパンツ」及び「プルオンパンツ型おむつ」）は、幼児、子供又は成人の着用者（以降、「着用者」）のために設計された、連続的な外辺部腰部開口部及び連続的な外辺部脚部開口部を有する、使い捨て吸収性物品を指す。パンツは、パンツが着用者に適用される前に、連続的な、すなわち閉じた腰部開口部と、少なくとも１つの連続的な、すなわち閉じた脚部開口部とを有する構成であることができる。パンツは、任意の再締結可能な及び／又は恒久的なクロージャ部材（例えば、シーム、熱結合、圧力、圧力溶接、接着剤、粘着結合、機械的締結具など）を使用して吸収性物品の部分を一緒に接合することが挙げられるがこれらに限定されない任意の好適な技術で予備成形され得る。パンツは、腰部区域におけるその周辺部に沿ったどの位置でも予備成形することができる（例えば、側部を締結する、前側腰部を締結する、後側腰部を締結する）。代表的なパンツ及びパンツ構成が米国特許第５，２４６，４３３号、同第５，５６９，２３４号、同第６，１２０，４８７号、同第６，１２０，４８９号、同第４，９４０，４６４号、同第５，０９２，８６１号、同第５，８９７，５４５号、同第５，９５７，９０８号、及び米国特許出願公開第２００３／０２３３０８２号に開示される。
【００１５】
用語「二次腰部開口周辺部」とは、初期腰部開口周辺部が破断され、パンツが再締結された後のパンツの腰部開口部の周辺部を指す。
【００１６】
用語「側縁部シーム」は、所定の側縁部を指し、前側腰部区域の側縁部又は側縁部に隣接した区域の一部分は、後側腰部区域の同じ側縁部又は側縁部に隣接した区域の一部に接合されて、閉じて取り囲まれた脚部開口部及び閉じた腰部開口部を規定する。
【００１７】
図１は、ベルト構成を有する使い捨て吸収性パンツ１０の一般的な簡略化した斜視図の描写である。パンツ１０は、中心シャーシ２０及び弾性ベルト３０を含んでよい。弾性ベルト３０は、横方向に弾性的延伸性があってよく、着用のしやすさのための弾性伸縮性、及び着用後のぴったりしたかつ快適なフィットを提供する。中心シャーシ２０は、着用者に面する液透過性トップシート（図１では具体的には非表示）、外側又は衣類に面するバックシート（図１では具体的には非表示）、及びトップシートとバックシートとの間に挟まれた又は包まれた吸収性コア（図１では具体的には非表示）を含んでよい。一対の横方向に対向し、長手方向に延在するバリアカフ２５はまた、中心シャーシの股部区域内で中心シャーシに組み込まれてよく、トップシートに隣接して配置される。通常、中心シャーシ及びバリアカフは、米国特許仮出願第６１／４８０，６６３号及びそれに優先権を主張する申請に記載されるような、ただしこれらに限定されない、使い捨ておむつ、トレーニングパンツ、及び成人の失禁用パンツに好適なレッグカフ構造を含む、任意の構成体及び構成要素を有してよい。弾性ベルト３０は、前側部分３１及び後側部分３２を有してよい。前側及び後側部分３１、３２は、対応の左右の側縁部シーム３３ｌ、３３ｒで一緒に接合されてよい。弾性ベルト３０は、腰部開口部１５を画定する前側及び後側腰部縁部１１、１２、並びにパンツ１０の左右の脚部開口部縁部１３ｌ、１３ｒの少なくとも一部分を形成してよい。使い捨て吸収性パンツ１０、特に、弾性ベルト３０は、再締結可能な機構を作製するための締結構成要素２００ｌ及び２００ｒを含んでよい。
【００１８】
図２は、図１に示すパンツ１０の前駆体構造の簡略化した平面図で、前側及び後側部分３１、３２を対応の側縁部３４ｌ、３５ｌ及び３４ｒ、３５ｒに沿って接合する前を示す。前側部分３１を含む前側区域３１ａ及び後側部分３２を含む後側区域３２ａは、それぞれ前駆体構造の長手方向全長の２５パーセント〜４０パーセント程度を含んでよく、同様に股部区域４５は、前駆体構造の長手方向全長の２０パーセント〜５０パーセント程度を、少なくともその一部分が横軸１１０に位置する状態で含んでよい。パンツ１０を形成するために、前駆体構造を横軸１１０で折り曲げて、前側及び後側区域３１ａ、３２ａ並びに前側及び後側部分３１、３２を、それらの側縁部３４ｌ、３５ｌ及び３４ｒ、３５ｒがそれぞれ側縁部シーム３３ｌ、３３ｒ（図１に表示するように）で接合できるように、集めることができる。図２に示す実施形態は、再締結可能に接合され得る締結要素２０１〜２０４を含む。特に（Particulalry）、締結要素２０１及び２０３は、締結要素２０２及び２０４とそれぞれ接合するフック要素であってよい。締結要素２０１及び２０３は、弾性ベルト３０の外面上に示されるが、弾性ベルト３０の内面上に位置することもできる。締結要素２０２及び２０４は、ループ要素の個別部材であってよいか、又は弾性ベルトの内側（表示のように）又は外側を裏打ちする不織布シートの一部であるループ要素の領域であってよい。他の実施形態では、締結要素２０１及び２０３はループ要素であってよく、締結要素２０２及び２０４はフック要素であってよい。
【００１９】
締結要素２０１〜２０４が弾性ベルト３０の内面同士を嵌合すると、フランジシームが形成されることが理解される。ただし、締結要素２０１〜２０４が弾性ベルト３０の内面と外面を嵌合すると、図１に示すように重なり合うシームが形成される。締結要素２０１〜２０４、第１及び第２締結要素２０２及び２０４、並びに第１及び第２嵌合締結要素２０１及び２０３は、製造プロセス中に締結されてよく、及び／又は着用者若しくは介護者による使用の前にパッケージ内で締結されてよい（即ち、パンツは「閉じた形状」で販売され得る）。あるいは、パンツは「開いた形状」で販売されてよく、その形状では締結要素２０１〜２０４は存在するが、パッケージ内で接合されていない。
【００２０】
更に図２を参照すると、前側及び後側部分３１、３２の１つ又は両方は、腰部縁部１１、１２近傍に配置された少なくとも１つの第１弾性部材３６、３７、及び脚部開口部縁部１３ｌ、１３ｒ近傍に配置された少なくとも１つの第２弾性部材３８、３９を含んでよい。図２で示すように、１つ又は複数の腰部弾性部材３６、３７は、実質的に真っ直ぐ横向きに配置されてよく、１つ又は複数の脚部弾性部材３８、３９は、脚部開口部１３ｌ、１３ｒ（図１に表示するように）の周囲に輪のような弾性伸長をもたらすために曲線状経路に沿って配置されてよい。後述するようにすっきりした外観を有するパンツを製造する目的で、脚部弾性部材３８、３９は、シャーシ２０のそれぞれの長手方向縁部２１に近接して終わることが所望される場合がある。本明細書の目的では、２つの形成部間の位置関係を記述するのに使用される場合、「近接」は、識別された形成部の２．０ｃｍ以内を意味するものである。
【００２１】
弾性部材３６、３７、３８、及び３９は、例えば、同時係属中の米国特許出願第１１／４７８，３８６号及び同第１３／３３１，６９５号、並びに米国特許第６，６２６，８７９号に記載されるような任意のエラストマー材の任意の構成で形成される、フィルム又はその切片若しくはストリップ、ストリップ、リボン、バンド、スクリム、弾性不織布、又は円形若しくは任意の他の断面のストランドの形状であってよい。好適な実施例は、Ｉｎｖｉｓｔａ（Ｗｉｃｈｉｔａ，Ｋａｎｓａｓ）の製品のＬＹＣＲＡ  ＨＹＦＩＴストランドである。
【００２２】
図３Ａ〜３Ｃは、図２に示す弾性ベルトの後側部分３２及びパンツの後側区域を通って線３−３で取った、可能性のある長手方向断面図の実施例であり、３つの可能な構成における形体を示している。これらの特定の実施例において、断面図は、弾性ベルトの前側部分３１及びパンツの前側区域を通って取った断面図と実質的に酷似してよいことが理解される。
【００２３】
図４Ａは、図２に示す弾性ベルトの後側部分３２及びパンツの後側区域を通って線４−４で取った、可能性のある長手方向断面図の実施例であり、一構成における形体を示している。この断面図はまた、弾性ベルトの前側部分３１及びパンツの前側区域を通って取った断面図の実質的な鏡像であってよいことが理解される。図４Ａに示される場合の弾性ベルト３０は、図３Ａに描かれるものと同じ層及び構成要素を有するが、断面図の位置のため、脚部弾性部材３９の追加があり、シャーシ構成要素がない。図２に示されるように、脚部弾性部材３９は、中心シャーシ２０の長手方向縁部２１に近接して終わってよく、したがって、図３Ａ及び３Ｂに現れない。
【００２４】
図３Ａ〜３Ｃを参照すると、シャーシ２０は、その内側の着用者に面する表面の少なくとも一部分を形成する液透過性トップシート２２を有してよい。トップシート２２は、柔らかく、かつ敏感肌に対応するのが好ましい不織布ウェブ材料から形成されてよく、使い捨ておむつ、トレーニングパンツ、及び、例えば同時係属中の米国特許出願第１２／８４１，５５３号に記載されるものを含む挿入部材に用いられるトップシートの任意の形体から形成され、またこれを有してよい。シャーシ２０はまた、液不透過性であり得る外向きバックシート２４を有してよい。バックシート２４は、例えば、すぐ上で参照される同時係属中の米国特許出願に記載されるものを含む使い捨ておむつ及びトレーニングパンツに用いられるバックシートの任意の形体から形成され、またこれを有してよい。シャーシ２０はまた、トップシート２２とバックシート２４との間に配置された吸収性コア２３を有してもよい。吸収性コア２３は、１つ以上の吸収性の獲得、分配、及び貯蔵材料の層並びに／又は構成要素を含んでよく、例えば、すぐ上で参照される同時係属中の米国特許出願に記載されるものを含む使い捨ておむつ及びトレーニングパンツに用いられる吸収性コアの任意の形体から形成され、またこれを有してよい。
【００２５】
図３Ａ〜３Ｃに示されるように、シャーシ２０は、弾性ベルト３０に、その内側の着用者に面する側に、又はあるいは、その外側の衣類に面する表面に貼り付けられてよい。シャーシ２０は、熱接着／溶着、機械的締結具、又はそれらの組み合わせによる、接着によって、弾性ベルト３０に接合することができる。
【００２６】
図３Ａ及び４Ａを参照すると、弾性ベルト３０は、好適な不織布ウェブ材料から形成され得る第１ベルト層４０を有してよい。第１ベルト層は、着用者の肌と直接触れ合うことがあるため、柔らかく肌触りのよい、かつ比較的通気可能／蒸気透過可能である層のために不織布ウェブ材料を選択することが好適であると考えることができる。１つ以上の腰部弾性部材３７は、第１ベルト層４０と第２ベルト層４１との間に配置されてよい。第２ベルト層４１は、第１ベルト層４０と同一の、同様の、又は異なる不織布ウェブ材料から形成されてよい。第１ベルト層４０及び第２ベルト層４１は、第１ベルト層４０及び第２ベルト層４１が、それらの間に挟まれ貼り付けられた１つ以上の腰部弾性部材３７と共に積層体を形成するように、接着剤、熱接着のパターン、又はそれらの組み合わせによって接着することができる。同様に、図４Ａを参照すると、１つ以上の脚部弾性部材３９は、第１ベルト層４０と第２ベルト層４１との間に貼り付けられ挟まれ得る。代替の実施形態では、ベルト層４１は、ベルト層４１がベルト層４０と外側カバー層４２との間に配置されるとき、エラストマー不織布又は弾性フィルムのようなエラストマーウェブ材料から形成され得る。ベルト層４１は、エラストマーウェブ材料から形成されるとき、ベルト層４１を物品の他の層に接合する前に予歪みを付与されてよいか、又は緩和状態で接合され、その後機械的に歪みを付与されてよい。そのような代替の実施形態では、１つ以上の腰部弾性部材及び１つ以上の脚部弾性部材は、ベルト層間に配置されてよい。代替の弾性部材の配置は、図４ａ〜４ｋに示される。
【００２７】
図８及び９を参照すると、製造及びその後の弛緩が完了したとき、弾性部材３７の収縮が、第１ベルト層４０及び第２ベルト層４１内にしわ、プリーツ、波形、又はしわの程度（以下「ひだ」）４３のパターンを誘発するように、１つ以上の腰部弾性部材３７は、製造中に、例えば、第１ベルト層４０及び第２ベルト層４１などの層間に貼り付けられる前にそれらの長さの方向又はより長い寸法の方向に沿って予歪みを付与されてよい。ひだ４３は、弾性部材が収縮するときその周囲に集まる材料から形成され、集まった材料は、弾性ベルト３０の伸長及び収縮に適合する働きをする。ひだ４３は、弾性部材３７の横収縮の方向に、概ね、横又は垂直の折り目線又は折り曲げ線に沿って配向される。ひだはまた、不織布材料によって形成されるとき、ベルト層の１つへのフックなどの締結構成要素の係合を改良し得る三次元の面を提供することができる。あるいは、締結構成要素２００の取り付けの領域（例えば、ループを含む領域）又は締結の領域（例えば、フックを含む領域）内のひだ及び収縮を除去することが有益であり得る。
【００２８】
同様に、製造及びその後の弛緩が完了したとき、弾性部材３９の収縮が、第１ベルト層４０及び第２ベルト層４１内にひだのパターンを誘発するように、１つ以上の脚部弾性部材３９は、製造中に、層間に貼り付けられる前にそれらの配置の経路（注記のように曲線状であってよい）に沿って予歪みを付与されてよい。これらのひだはまた、弾性部材が収縮するときその周囲に集まる材料から形成され、脚部開口部の周囲の弾性ベルト３０の伸長及び収縮に適合する働きをする。ひだは、弾性部材３９の収縮の方向に概ね、横又は垂直の折り目線又はしわ線に沿って配向される。
【００２９】
引き続き図８及び９を参照すると、弾性部材３７、３９の弛緩及び収縮の際に形成されるひだが幾分か均一で、均等に分配され、外観がきちんとするように、接着剤の付着のパターンを、規則的なパターンで及び／又は間隔を置いて、層４０、４１のどちらか及び／又は弾性部材３７、３９に適用して、層を弾性部材３７に接着部分４４で接着することができる。ひだの頻度及び寸法はまた、弾性体のベルト層への、ベルト層の互いへの、又はそれらの組み合わせの、取り付けパターンを調節することによって調節することができる。ひだの頻度及び寸法は、締結構成要素２００と機能的に連携するために調整することができる。例えば、より細かいひだは、より小さなフック又はより高密度のパターンのフックタイプ締結構成要素でより有効にすることができる一方で、より大きなひだは、より大きなフック又はより低密度のパターンのフックタイプ締結構成要素でより有効にすることができる。
【００３０】
弾性部材３６、３７、３８、及び３９の１つ以上を、その他の１つ以上から様々な方法で変化させ、異なる伸長及び力の特性を付与することができる。例えば、特定の設計状況によって異なるこれらの開口部の周囲に快適なフィットのために、曲線状の脚部弾性部材が脚部開口部の周囲に、着用中に腰部開口部の周囲に存在するより大きい又はより小さい張力を働かせることが所望される場合がある。弾性部材３６、３７、３８、及び３９の１つ以上は、弾性ストランド又はバンドの数、弾性ストランド又はバンドの断面寸法、弾性ストランド又はバンドの断面形状、弾性ストランド又はバンドを形成する材料の化学組成、パンツの製造中に弾性ストランド又はバンドに付与された予歪みの量、及びそれらの組み合わせから選択される点でその他の１つ以上と異なるように選択及び／又は構成されてよい。
【００３１】
腰部弾性部材３６、３７及び曲線状脚部弾性部材３８、３９に加えて、弾性ベルトに追加の伸長、収縮、及び耐荷重／耐力能力を、腰部及び脚部弾性部材によって付与されるそのような能力を同じ方法で付与するために、追加の弾性部材（非表示）がそれらの間に長手方向に含まれてよい。追加の弾性部材は、任意の弾性部材３６、３７、３８、及び３９と同じ対の層間に配置することができるか、又は異なる対の層間に配置することができ、上記のような異なる対の層間の交互の場所に配置することができる。弾性部材の１つ以上が湾曲又は傾斜した特定の実施形態では、弾性部材の角度又は湾曲と機能的に協働するために締結構成要素に角度を付けることが有益であり得る。
【００３２】
上記のいくつかの実施例はまた、明示的に記載されない他の実施例と同様、比較的効率的な製造に適しているため有利であり得る。
【００３３】
図１１を参照すると、一実施形態では、締結要素２０１〜２０４は、脚部及び腰部開口部１４及び１５をそれぞれ形成するために接合されるとき、パンツ１０の前側区域３１ａ内に配置されるか又は形成されて、締結構成要素２００へのアクセスを向上させることができる。締結要素が接合されて、脚部及び腰部開口部が形成されると、前側区域３１ａは、各腰軸２０６（着用時の着用者の腰の中央を示す軸）より前方のパンツ１０の領域と見なされ得る。なお、第１フックタイプ締結要素２０２及び２０４が締結され得るループタイプ締結要素２０１及び２０３は、単に前側区域３１ａの一部分に配置され得るか、又は形成され得る。接合したときに締結構成要素２００が前側区域３１ａ内に存在するように配向することによって締結構成要素２００へのアクセスを改善することによって、介護者にとってパンツ１０の開放及び再締結が大幅に容易になり、前側腰部区域と前側区域３１ａとの締結を可能にし、着用者が介護者の前に立っているとき（例えば、対面して）、又は着用者が仰向けに寝ているときに、介護者がパンツ１０を交換する工程、又はパンツ１０を点検する工程をより容易にすることがある。加えて、パンツ１０又はおむつの前側区域３１ａの締結構成要素２００の締結はまた、これがテープ式おむつと似ているために、介護者にとって馴染み深いものである。
【００３４】
パンツを開放及び再締結する能力は、介護者に利便性を提供する。例えば、外出時、又は着用者の衣類及び／若しくは靴を脱がせるのが難しいときは、従来的なテープ式おむつとしてパンツを適用する方がより便利である場合がある。着用者がいつ交換を必要とするか、したがっていつ特定の様式の適用が必要とされるかを予測することは困難であるため、従来的なテープ式おむつとして、又は使い捨てトレーニングパンツとしてのいずれかで適用されるように適合可能であるパンツを提供することが有益である。加えて、従来的なテープ式おむつ又は使い捨てトレーニングパンツのように適用され得る製品はまた、製品を着用者の脚の下に滑らせることを必要とせずに、製品の内側を点検することを可能にする。本開示のパンツは、適用及び取り外しに関する二重機能を提供する一方で、使用したパンツを容易に包み、処分することを可能にする。
【００３５】
様々な実施形態では、各締結構成要素２００は、例えば、接着剤結合、音波接着、圧力接着、熱接着、又はそれらの組み合わせのような任意の好適な方法によって直接的又は間接的にパンツ１０に接合され得る。締結システム及び／又は締結構成要素２００のいくつかの好適な実施例は、米国特許第３，８４８，５９４号、同第４，６６２，８７５号、同第４，８４６，８１５号、同第４，８９４，０６０号、同第４，９４６，５２７号、同第５，１５１，０９２号、同第５，２２１，２７４号、同第６，２５１，０９７号、同第６，６６９，６１８号、同第６，４３２，０９８号、同第７，１０１，３５９号、及び同第７，４０７，４６８号に記載される。
【００３６】
図１２は、パンツ、パンツ１０−１及びパンツ１０−２を形成するために長手方向軸（例えば、図２及び７中の１１０）の上に折り重ねられた２つの物品の構成を示し、それぞれの一部分のみが示される。本開示の唯一の実施形態である、この実施形態では、各パンツ１０−１及び１０−２は、前側及び後側区域３１ａ及び３２ａ内に配置された前側及び後側弾性ベルト３０ａ及び３０ｂをそれぞれ含む。また、各パンツ１０−１及び１０−２は、第１側縁部３５ｒ及び３５ｌから、それぞれ横方向に対向する第２側縁部（非表示）まで延在し、横方向に対向する固定側縁部シーム２０８の一部分を形成する後側ベルト３０ｂを含む。更に各パンツ１０−１及び１０−２に関して、前側ベルト３０ａは、第１側縁部３４ｒ及び３４ｌの近傍から、それぞれ対向する第２側縁部（非表示）に隣接する領域まで延在し、横方向に対向する固定側縁部シーム２０８の一部分を形成しない。パンツ１０−１及び１０−２は、前側ベルト３０ａの外側に配置された締結タブ部材２１０を更に含む。締結タブ部材２１０は、締結タブ部材２１０と前側ベルト３０ａとの間に配置される、締結タブ部材２１０の内面に配置され、前側弾性ベルト３０ａと再締結可能に係合された、第１及び第２締結要素２０２及び２０４を含む。締結タブ部材２１０は、固定側縁部シーム２０８の一部分を形成し、側縁部シーム２０８で後側ベルト３０ｂに接合される。
【００３７】
図１２の実施形態と異なるが、関連する本開示の代替の実施形態（非表示）では、前側ベルトは、物品の第１側縁部から横方向に物品の対向する第２側縁部まで延在し、横方向に対向する固定側縁部シームの一部分を形成する。後側ベルトは、物品の第１側縁部の近傍から、物品の対向する第２側縁部に隣接する領域まで横方向に延在し、横方向に対向する固定側縁部シームの一部分を形成しない。物品は、後側ベルトの外側に配置された締結タブ部材を更に含む。締結タブ部材は、締結タブ部材の内面上、締結タブ部材と後側ベルトとの間に配置され、後側弾性ベルトと再締結可能に係合された第１締結要素を含む。締結タブ部材は、固定側縁部シームの一部分を形成し、側縁部シームで前側ベルトに接合される。締結構成要素は、後側弾性ベルトの一部（即ち一体的）として形成されるか、又は後側弾性ベルトに配置される第２締結要素を含んでよい。
【００３８】
図１３は、パンツ、パンツ１０−１及びパンツ１０−２を形成するために長手方向軸（例えば、図２及び７中の１１０）の上に折り重ねられた２つの物品の構成を示し、それぞれの一部分のみが示される。本開示の唯一の実施形態である、この実施形態では、各パンツ１０−１及び１０−２は、前側及び後側腰部区域３１ａ及び３２ａ内に配置された前側及び後側弾性ベルト３０ａ及び３０ｂをそれぞれ含む。また、各パンツ１０−１及び１０−２は、第１側縁部３５ｒ及び３５ｌから、それぞれ横方向に対向する第２側縁部（非表示）まで延在し、横方向に対向する固定側縁部シーム２０８の一部分を形成する後側ベルト３０ｂを含む。更に各パンツ１０−１及び１０−２に関して、前側ベルト３０ａは、第１側縁部３４ｒ及び３４ｌの近傍から、それぞれ対向する第２側縁部（非表示）に隣接する領域まで延在し、また横方向に対向する固定側縁部シーム２０８の一部分を形成する。パンツ１０−１及び１０−２は、前側ベルト３０ａの外側に配置された締結タブ部材２１０を更に含む。締結タブ部材２１０は、締結タブ部材２１０と前側ベルト３０ａとの間に配置される、締結タブ部材２１０の内面に配置され、前側弾性ベルト３０ａと再締結可能に係合された、第１及び第２締結要素２０２及び２０４を含む。締結タブ部材２１０は、固定側縁部シーム２０８の一部分を形成し、側縁部シーム２０８で後側ベルト３０ｂに接合される。この実施形態はまた、側縁部シーム３４ｒ及び３４ｌと第１締結要素２０４及び２０２との間に配置された破り線２１２を含む。物品を開放するには、ユーザーは、まず第１締結要素（例えば、２０４）を第２締結要素（例えば、２０３）からはずし、次に破り線２１２に沿って前側ベルト３０ａを引き裂く。再締結するには、ユーザーは単に第１締結要素（例えば、２０２）を前側区域３１ａで第２締結要素（例えば、２０１）に再締結する。
【００３９】
図１３の実施形態と異なるが、関連する本開示の代替の実施形態（非表示）では、吸収性物品は、物品の前側及び後側区域内にそれぞれ配置された前側及び後側弾性ベルトを含む。後側ベルトは、物品の第１側縁部から物品の横方向に対向する第２側縁部まで延在し、横方向に対向する固定側縁部シームの一部分を形成する。前側ベルトは、物品の第１側縁部から物品の横方向に対向する第２側縁部まで延在し、横方向に対向する固定側縁部シームの一部分を形成する。物品は、後側ベルトの外側に配置された締結タブ部材を更に含む。締結タブ部材は、締結タブ部材と後側ベルトとの間に配置される締結タブ部材の内面上に配置された第１締結要素を含み、第２締結要素又は後側弾性ベルトと再締結可能に係合する。締結タブ部材は、固定側縁部シームの一部分を形成し、側縁部シームで前側及び後側ベルトに接合される。締結構成要素は、後側弾性ベルトに形成されるか、又は配置される第２締結要素を含んでよい。この実施形態はまた、側縁部シームと第１締結要素との間に配置された破り線（基板内に設計された穿孔又は脆弱の形状であってよい）を含む。物品を開放するには、ユーザーは、まず第１締結要素を第２締結要素からはずし、次に破り線に沿って後側ベルトを引き裂く。再締結するには、ユーザーは単に第１締結要素を後側区域で第２締結要素に再締結する。
【００４０】
図１４は、パンツ、パンツ１０−１及びパンツ１０−２を形成するために長手方向軸（例えば、図２及び７中の１１０）の上に折り重ねられた２つの物品の構成を示し、それぞれの一部分のみが示される。本開示の唯一の実施形態である、この実施形態では、各パンツ１０−１及び１０−２は、物品１０の前側及び後側区域３１ａ及び３２ａ内に配置された前側及び後側弾性ベルト３０ａ及び３０ｂをそれぞれ含む。また、各パンツ１０−１及び１０−２は、第１側縁部３５ｒ及び３５ｌから、それぞれ横方向に対向する第２側縁部（非表示）まで延在し、横方向に対向する固定側縁部シーム２０８の一部分を形成する後側ベルト３０ｂを含む。更に各パンツ１０−１及び１０−２に関して、前側ベルト３０ａは、第１側縁部３４ｒ及び３４ｌの近傍から、それぞれ対向する第２側縁部（非表示）に隣接する領域まで延在し、横方向に対向する固定側縁部シーム２０８の一部分を形成しない。パンツ１０−１及び１０−２は、前側及び後側ベルト３０ａと３０ｂとの間に存在するように、後側ベルト３０ｂの外側を除き、前側ベルト３０ａの内側に配置された締結タブ部材２１０を更に含む。締結タブ部材２１０は、締結タブ部材２１０と前側ベルト３０ａとの間に配置される、締結タブ部材２１０の外面に配置され、前側弾性ベルト３０ａと再締結可能に係合された、第１及び第２締結要素２０２及び２０４を含む。締結タブ部材２１０は、固定側縁部シーム２０８の一部分を形成し、側縁部シーム２０８で後側ベルト３０ｂに接合される。
【００４１】
図１４の実施形態と異なるが、関連する本開示の代替の実施形態（非表示）では、吸収性物品は、物品の前側及び後側区域内にそれぞれ配置された前側及び後側弾性ベルトを含む。前側ベルトは、物品の第１側縁部から物品の横方向に対向する第２側縁部まで延在し、横方向に対向する固定側縁部シームの一部分を形成する。後側ベルトは、物品の第１側縁部から物品の横方向に対向する第２側縁部まで延在するが、横方向に対向する固定側縁部シームの一部分を形成しない。物品は、後側ベルトの内側に配置された締結タブ部材を更に含む。締結タブ部材は、締結タブ部材と後側ベルトとの間に配置される締結タブ部材の外面上に配置され、前側弾性ベルトと再締結可能に係合された第１締結要素を含む。締結タブ部材は、固定側縁部シームの一部分を形成し、固定側縁部シームで前側ベルトに接合される。締結構成要素は、後側弾性ベルトに形成されるか、又は配置される第２締結要素を含んでよい。
【００４２】
図１５は、パンツ、パンツ１０−１及びパンツ１０−２を形成するために長手方向軸（例えば、図２及び７中の１１０）の上に折り重ねられた２つの物品の構成を示し、それぞれの一部分のみが示される。本開示の唯一の実施形態である、この実施形態では、各パンツ１０−１及び１０−２は、前側及び後側区域３１ａ及び３２ａ内に配置された前側及び後側弾性ベルト３０ａ及び３０ｂをそれぞれ含む。また、各パンツ１０−１及び１０−２は、第１側縁部３５ｒ及び３５ｌから、それぞれ横方向に対向する第２側縁部（非表示）まで延在するが、横方向に対向する固定側縁部シーム２０８の一部分を形成しない後側ベルト３０ｂを含む。更に各パンツ１０−１及び１０−２に関して、前側ベルト３０ａは、第１側縁部３４ｒ及び３４ｌの近傍から、それぞれ対向する第２側縁部（非表示）に隣接する領域まで延在するが、横方向に対向する固定側縁部シーム２０８の一部分を形成しない。パンツ１０−１及び１０−２は、前側及び後側ベルト３０ａと３０ｂとの間に配置された締結タブ部材２１０及び２１０’を更に含む。締結タブ部材２１０及び２１０’は、締結タブ部材２１０及び２１０’と前側及び後側ベルト３０ａ及び３０ｂとの間に配置された第１及び第２締結要素２０２、２０４及び２０２’、２０４’を含む。締結タブ部材２１０及び２１０’は、固定側縁部シーム２０８の一部分を形成するが、側縁部シーム２０８で前側又は後側ベルト３０ａ及び３０ｂに接合されない。締結構成要素２００は、対応の弾性ベルトに形成されるか又は配置される第２締結要素２０１、２０３及び２０１’、２０３’を含んでよい。第１締結要素２０２、２０４及び２０２’、２０４’、並びに第２締結要素２０１、２０３、及び２０１’、２０３’は、再締結可能に結合されてよい。
【００４３】
図１６は、パンツ、パンツ１０−１及びパンツ１０−２を形成するために長手方向軸（例えば、図２及び７中の１１０）の上に折り重ねられた２つの物品の構成を示し、それぞれの一部分のみが示される。本開示の唯一の実施形態である、この実施形態では、各パンツ１０−１及び１０−２は、前側及び後側区域３１ａ及び３２ａ内に配置された前側及び後側弾性ベルト３０ａ及び３０ｂをそれぞれ含む。また、各パンツ１０−１及び１０−２は、第１側縁部３５ｒ及び３５ｌから、それぞれ横方向に対向する第２側縁部（非表示）まで延在し、横方向に対向する固定側縁部シーム２０８の一部分を形成する後側ベルト３０ｂを含む。更に各パンツ１０−１及び１０−２に関して、前側ベルト３０ａは、第１側縁部３４ｒ及び３４ｌの近傍から、それぞれ対向する第２側縁部（非表示）に隣接する領域まで延在し、横方向に対向する固定側縁部シーム２０８の一部分を形成しない。この実施形態では、第１側縁部３４ｒ及び３４ｌは、締結要素２０２及び２０４の隣接する縁部である。物品は、永久サイドシーム２０８の一部分を形成する後側ベルト３０ｂの内側に配置され、これに取り付けられた締結タブ部材２１０を更に含む。物品はまた、前側ベルト３０ａの内面に配置され、締結タブ部材２１０と前側ベルト３０ａとの間に配置され、締結タブ部材２１０と再締結可能に係合された第１締結要素を含む。締結構成要素２００は、締結タブ部材２１０に形成されるか又は配置される第２締結要素２０１及び２０３を含んでよい。
【００４４】
図１６の実施形態と異なるが、関連する本開示の代替の実施形態（非表示）では、吸収性物品は、物品の前側及び後側区域内にそれぞれ配置された前側及び後側弾性ベルトを含む。前側ベルトは、物品の第１側縁部から物品の横方向に対向する第２側縁部まで延在し、横方向に対向する固定側縁部シームの一部分を形成する。後側ベルトは、物品の第１側縁部の近傍から物品の横方向に対向する第２側縁部の近傍まで延在するが、横方向に対向する固定側縁部シームの一部分を形成しない。物品は、永久サイドシームの一部分を形成する前側ベルトの内側に配置され、これに取り付けられた締結タブ部材を更に含む。物品はまた、後側ベルトの内面に配置され、締結タブ部材と後側ベルトとの間に配置される第１締結要素を含み、締結タブ部材と再締結可能に係合する。締結構成要素は、締結タブ部材に形成されるか又は配置される第２締結要素を含んでよい。
【００４５】
図１７は、パンツ、パンツ１０−１及びパンツ１０−２を形成するために長手方向軸（例えば、図２及び７中の１１０）の上に折り重ねられた２つの物品の構成を示し、それぞれの一部分のみが示される。本開示の唯一の実施形態である、この実施形態では、各パンツ１０−１及び１０−２は、前側及び後側区域３１ａ及び３２ａ内に配置された前側及び後側弾性ベルト３０ａ及び３０ｂをそれぞれ含む。また、各パンツ１０−１及び１０−２は、第１側縁部３５ｒ及び３５ｌから、それぞれ横方向に対向する第２側縁部（非表示）まで延在し、横方向に対向する固定側縁部シーム２０８の一部分を形成する後側ベルト３０ｂを含む。更に、各パンツ１０−１及び１０−２に関して、前側ベルト３０ａは、第１側縁部３４ｒ及び３４ｌの近傍から、それぞれ対向する第２側縁部（非表示）に隣接する領域まで延在し、横方向に対向する固定側縁部シーム２０８の一部分を形成しない。この実施形態では、第１側縁部３４ｒ及び３４ｌは、互いに離間かつ近接している。物品は、永久サイドシーム２０８の一部分を形成する後側ベルト３０ｂの内側に配置され、これに取り付けられた締結タブ部材２１０を更に含む。物品はまた、前側ベルト３０ａの内面に配置され、締結タブ部材２１０と前側ベルト３０ａとの間に配置され、締結タブ部材２１０と再締結可能に係合された第１締結要素を含む。締結構成要素２００は、締結タブ部材２１０に形成されるか又は配置される第２締結要素２０１及び２０３を含んでよい。
【００４６】
図１７の実施形態と異なるが、関連する本開示の代替の実施形態（非表示）では、吸収性物品は、物品の前側及び後側区域内にそれぞれ配置された前側及び後側弾性ベルトを含む。前側ベルトは、物品の第１側縁部から物品の横方向に対向する第２側縁部まで延在し、横方向に対向する固定側縁部シームの一部分を形成する。後側ベルトは、物品の第１側縁部から物品の横方向に対向する第２側縁部まで延在するが、横方向に対向する固定側縁部シームの一部分を形成しない。物品は、永久サイドシームの一部分を形成する前側ベルトの内側に配置され、これに取り付けられた締結タブ部材を更に含む。物品はまた、後側ベルトの内面に配置され、締結タブ部材と後側ベルトとの間に配置され、締結タブ部材と再締結可能に係合された第１締結要素を含む。締結構成要素は、締結タブ部材に形成されるか、又は配置される第２締結要素を含んでよい。
【００４７】
図１２〜１７によって示されるそれぞれの実施形態については、開示されたこれらの図の代替の実施形態と同様に、ベルト３０ａ及び３０ｂは、２０１２年５月１５日に提出された米国特許出願第６１／６４６，９９９号の開示に従うのに加えて、本明細書で前記開示されるように図３Ａ〜４Ｋに従って形成されてよいことを理解されたい。また更には、図５Ａ〜８によって開示される方法を利用できると、結果として、図９〜１０Ｃによって開示されるテクスチャーを享受できる。それぞれ２０１２年５月１５日に提出された米国特許出願第６１／６４７０６１号、同第６１／６４７０７１号、同第６１／６４７０７８号によって開示される製造の更なる方法及び結果のテクスチャーも使用されてよい。また、ベルト弾性体の応力、歪み、及び間隔は、２０１２年２月１３日に提出された米国特許出願第６１／５９８，０１２号に開示されるように実施されてよい。
【００４８】
更に、図１２〜１７によって示されるそれぞれの実施形態については、開示されたこれらの図の代替の実施形態と同様に、これらの物品は、２０１２年４月２７日に提出された米国特許出願第１３／４５７，５２１号に開示されたカフを含んでよく、それぞれ２０１２年５月１５日に提出された米国特許出願第６１／６４６，９５３号及び同第６１／６４６，９７９号に従って図形を有してよいことを理解されたい。また、図１２〜１７によって示されるそれぞれの実施形態で開示される再締結可能なパンツのシーミング及び成形については、これらの実施形態は、その単純さのため毎分１０００個以下及び１０００個超の物品の高い製造速度で製造するのに特に適しているので、開示されたこれらの図の代替の実施形態と同様に、米国特許第６，２４８，１９５号並びに米国特許出願第１２／７９５０２１号、同第１３／４０１９０７号、及び同第１３／４０２０５６号に開示される物品成形プロセスと同様に、熱気シーミングプロセスを使用することが望ましい場合がある。弾性要素を含む物品要素の大部分は、機械方向に連続的に形成される。加えて、そのようなプロセスは、高速でのこれらの連続的な機械方向の副構造に対して、配置の正確度を維持し製品の機能性及び外観の鍵である一体性を確保しながら、再締結可能要素の導入及び結合を可能にする。
【００４９】
工程に関して、図１２〜１７によって示されるそれぞれの実施形態は、開示されたこれらの図の代替の実施形態と同様に、締結具タブ部材及び／又は締結タブ要素を折り畳む必要がないという利点を提供する。また、これらの実施形態は永久サイドシームを提供するため、より薄い材料を締結構成要素に使用することができる。加えて、設計の単純さは、より適切に言えば、エラストマー材が締結タブ部材を含む締結構成要素に用いられることを可能にする。
【００５０】
本明細書で引用する特許及び特許出願（明細書に記載されている特許も含む）は、本明細書と矛盾しない範囲で本明細書に参考として組み入れる。
【００５１】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示された寸法は、「約４０ｍｍ」を意味することを意図する。「本発明の詳細な説明」で引用したすべての文献は、関連部分において、参照により本明細書に組み込まれ、いかなる文献の引用も、本開示に対する先行技術であることを認めるものと解釈されるべきではない。本明細書中の用語の任意の意味又は定義が、参照により組み込まれた文献中の同一用語の任意の意味又は定義と相反する限りにおいては、本明細書においてその用語に与えられた意味又は定義を適用する。
【００５２】
本開示の特定の実施形態について説明し記載したが、本発明の趣旨及び範囲から逸脱することなく他の様々な変更及び修正が可能であることは当業者には明白であろう。したがって、発明の範囲は、添付の特許請求及びその同等物によってのみ限定されることが意図される。
【図１】
2015521500.tif 000003
【図２】
2015521500.tif 000004
【図３Ａ】
2015521500.tif 000005
【図３Ｂ】
2015521500.tif 000006
【図３Ｃ】
2015521500.tif 000007
【図４Ａ】
2015521500.tif 000008
【図４Ｂ】
2015521500.tif 000009
【図４Ｃ】
2015521500.tif 000010
【図４Ｄ】
2015521500.tif 000011
【図４Ｅ】
2015521500.tif 000012
【図４Ｆ】
2015521500.tif 000013
【図４Ｇ】
2015521500.tif 000014
【図４Ｈ】
2015521500.tif 000015
【図４Ｉ】
2015521500.tif 000016
【図４Ｊ】
2015521500.tif 000017
【図４Ｋ】
2015521500.tif 000018
【図５Ａ】
2015521500.tif 000019
【図５Ｂ】
2015521500.tif 000020
【図６Ａ】
2015521500.tif 000021
【図６Ｂ】
2015521500.tif 000022
【図６Ｃ】
2015521500.tif 000023
【図６Ｄ】
2015521500.tif 000024
【図６Ｅ】
2015521500.tif 000025
【図７】
2015521500.tif 000026
【図８】
2015521500.tif 000027
【図９】
2015521500.tif 000028
【図１０Ａ】
2015521500.tif 000029
【図１０Ｂ】
2015521500.tif 000030
【図１０Ｃ】
2015521500.tif 000031
【図１１】
2015521500.tif 000032
【図１２】
2015521500.tif 000033
【図１３】
2015521500.tif 000034
【図１４】
2015521500.tif 000035
【図１５】
2015521500.tif 000036
【図１６】
2015521500.tif 000037
【図１７】
2015521500.tif 000038
【国際調査報告】
2015521500.tif 000039
2015521500.tif 000040